(57)【要約】【課題】聴衆に背を向けることなく資料等の掲示物を掲示し、又は差し替えて、説明や発表が途切れることなく力強く聴衆に伝えることができ且つ限られた時間を最大限有効に使うことができる掲示物の保持台を提供することである。【解決手段】白板又は黒板等の表面に掲示し、聴衆の目線を反らすことなく速やかに掲示物の交換を可能とする手段を備えた掲示物の保持台である。【選択図】      図２
2004252390.tif 000002
【特許請求の範囲】
【請求項１】
白板、又は黒板、又は掲示板、又は間仕切り、又は壁面その他、スチール面に掲示する掲示物、又は資料等を着脱自在に保持するための保持具ともなる掲示物の該保持台であって、該保持台を形成する主体は、画鋲等の掲示用ピンの針を挿着又は抜き取り可能な素材を用いて形成し、前記主体の一部に、前記主体を前記スチール面に着脱自在に保持する保持部材を設けたことを特徴とする掲示物保持具ともなる掲示物の保持台。
【発明の詳細な説明】
【０００１】
【産業状の利用分野】
本発明は、スチールで表面が構成される白板又は黒板又は掲示板等に於いて、掲示物保持具として又、台として使用でき、且つ、掲示物の掲示又は掲示物の差し替えが容易な掲示物保持台に関する物である。
【０００２】
【従来の技術】
従来、ある程度の人数が集合の会場で会議や説明等を行う場合、表面にスチールを用いて構成されている白板（ホワイトボード）黒板又は掲示板又は間仕切り又はスチール製の壁面又はスチール製の支柱（以下磁性体面という）等を使用し、会議や説明に必要な資料等を掲示し、その資料を指し示しながら説明をする。この場合、掲示する資料等は、マグネットの磁力によってスチールの面とマグネットの間に狭持し、資料等を保持する掲示具が実用に供されている。
【０００３】
又、掲示具の裏面にマグネットを設け資料等の用紙を挿入保持する機能を付加した掲示具として、中空状の内部の下部をテーパー状に形成し、この中にボール又は丸棒状の回動体を回動自在に保持し、下部に形成された細い隙間から資料等の用紙を挿入して、回動体の重量で下降した回動体によって、用紙が掲示具の内面に押圧されて狭持する物が実用に供せられている。
【０００４】
或いは、前記回動体の代わりに弾性体を設け、この弾性体の弾力性によって用紙を掲示具の内面に押圧し、狭持するものが実用に供せられている。
【０００５】
又、掲示具内部にゴム等の細い多数の棒状（ゴムひげ等と称されている）を斜め上向きに植設し、その細い多数のゴムの棒状の摩擦力と弾力性によって隙間から挿入された用紙を狭持する掲示具が実用に供せられている。
【０００６】
しかし、上記の掲示具を用いて、資料等をスチールの面に掲示する場合、【０００２】を用いる場合、片手でマグネットをスチール面から剥離し資料等を添えた後、マグネットを載せスチール面とマグネットの間で狭持するため、作業に両手を必要とするばかりでなく、体勢や目線を一旦スチール面に向けなければならない、このため、説明や説得に必要な目線を合わせて強要する時間が途切れてしまい、説得力に大きなマイナスが生じ、会議や発表会等に於いては極めて限られた時間内に結論に導き、聴衆を説得しなければ初期の狙いである、良き効果（強力な説得力）を得ることは極めて困難である。
【０００７】
又、掲示具の内部にボールやローラー状の回動体を設ける場合、用紙の挿入部は限られた大きさ（隙間）となるため、予め資料の準備を整え、出番を待つのであるが、資料の掲示又は差し替えの作業に当たって、説明又は発表者は、掲示具の所在の確認、及び、資料等の用紙の挿入部（隙間）を探し、用紙を挿入する作業はスチール面に向かい用紙に両手を添えて掲示する作業を行うため、資料等の掲示作業中は、説明や発表の言葉を発していても、その発する方向は、聴衆の方向ではなく、スチールの面（以下、掲示板等と言う）に向かって発するため、聴衆に対する説得力が弱まり、発表者又は発言者の説明は力強く聴衆に伝わることはない。
【０００８】
更に、掲示具の内部に多数のゴムの細い棒状を設けた物にあっても、用紙の挿入部の隙間が狭くなるため、掲示作業を続けながら説明を続行するとすれば、発表者は掲示板等に向かって説明を続けることとなり、聴衆に対する説得力は著しく減殺される。
【０００９】
【発明が解決しようとする課題】
従って、本発明が解決しようとする課題は、発表者等が掲示板等の面に向き直ることによって、聴衆に背を向けることなく資料等の掲示物を掲示し又は差し替え作業が可能で、且つ、説明や発表っを中断することなく、力強く聴衆に伝えることができ、且つ、限られた時間を最大限有効に使うことができる掲示物の保持具ともなる掲示物の保持台を提供することである。
【００１０】
【課題を解決するための手段】
本発明に依れば、白板（ホワイトボード）、又は黒板又は掲示板又は間仕切り又は壁面その他、スチール面に掲示する掲示物、又は資料等を着脱自在に保持するための保持具として使用することができる掲示物の該保持台であって、該保持具を形成する主体は、画鋲等の掲示用ピンの針部を挿着又は抜き取り可能な素材を用いて形成し、前記主体の一部に、前記主体を前記スチールの面に着脱自在に保持する保持部材を設けたことである。
【００１１】
【発明の実施の形態】
白板（ホワイトボード）又は、黒板又は、間仕切り又は、スチール面で構成される掲示板等（以下、掲示板等という）に掲示物を掲示する場合の掲示物の保持台１として使用することができる掲示物保持具（以下、保持台１と言う）であって、画鋲等の掲示用ピン８の針９が挿抜容易な素材を用いて、平坦な主体２を形成し、この主体２の片面にスチールによって構成された掲示板等の面に着脱可能な状態で主体２に磁石から成る保持部材４を設けてある。
この時、主体２はある程度の硬さがあって、本掲保持台１を掲示板等スチール面から引き離す際、折れ曲がったり、歪んだりしない程度の硬さであることが望ましい。
【００１２】
更に、保持台１の厚みは少なくとも、画鋲等の掲示用ピン８の針９の長さ以上であることが望ましく、掲示用ピン８を保持台１に挿着した際、針９の先端が保持部材４の面から露出しない距離が良い。
従って、保持台１に掲示用ピン８を用いて掲示物を保持するばかりでなく、保持部材４と掲示板等のスチール面との間に、資料等を保持することも可能であるのは当然である。
【００１３】
【実施例】
本発明の実施例を図面に基づいて説明すると図１は第１実施例の掲示物保持台１を示す斜視図で、任意の大きさから成る適宜な硬さの主体２の片面に磁石４を設けてあり、この場合、主体２の片面に保持部材４を粘着、又は接着等によって設けると良い。
【００１４】
この場合、任意の大きさの主体２とは、スチールにによって形成された掲示板等の面に片手で着脱できる大きさ、と厚みであることが望ましく、画鋲等の掲示用ピン８の針９が、挿脱容易な硬さの素材によって構成されていることが好ましい。
【００１５】
更に、主体２の最小限度の厚みについては、保持部材４がフレキシブルなマグネット、例えばゴム磁石を用いた場合、保持部材４は柔軟性を有しているため、針９の挿脱が容易となり、保持台１の全体の厚みが針９の長さ以上であれば、針９を挿着した状態に於いて、針９の先端が突出することはなく、取扱い時に於いても針９の先端で怪我をする等の危険はない。
又、保持部材４に金属磁石又はフェライト係の磁石等を用いた場合、保持部材４が硬質であるため、主体２の厚みが針９の長さ以上であることが望ましい。
【００１５】
又、主体２は針９の挿抜容易な硬さに構成する必要上、主体２の素材は木又は発泡塩ビ（商品名、フォーレックス）その他の発泡プラスチック等によって形成すると良く、保持台１を掲示板等に着脱する際、保持台１が反り返ったり、折れ曲がることのない硬さを有していることが望ましく、これは掲示物の掲示や差し替えの作業を容易にする。
【００１６】
特に、主体２の素材に木を用いる場合、一般的に木材は年輪等を形成する繊維質が強固であり、このため充分時間をかけて枯らす等、充分乾燥させるか又は、樹脂分を抜き取ることが望ましく、木質の中に水分等が含まれている場合、経年変化等により反りや収縮を生じ、保持部材４が反り返って掲示板等のスチール面に密着しなくなり、保持機能が低下する。
この弊害を避けるため、経年変化や、大気中の湿気によって主体２が反ったり、変形することのないように加工を施した物であることが望ましく（例えば鉛筆を製造する木の板等）、主体２が湿気等によって反り返った場合、掲示板等のスチールの面に保持部材４が均等に当接しないために生じる、安定的な掲示物の保持困難を防止している。
【００１７】
以上のように構成された保持台１を用いて、ある程度の人数が集合の会場で、掲示板等を用いて会議や説明を行う場合、予め図３の如く保持台１の表面３に資料等の掲示物Ｕを画鋲その他の掲示用ピン８によって保持し、テーブル等の上に揃えておき、説明に合わせて次々に保持台１を取り上げ、掲示板等面に磁着保持し掲示する。
この時、図示しないが、前資料を保持した保持台１の上方に添わせる様に、次の保持台１を重ねて保持すれば良く、一々掲示板等の方向に向き直って掲示しなくとも容易に掲示や差し替え作業を行うことができる。
或いは、予め複数の保持台１、１、１、１、１に掲示物Ｕをそれぞれ保持し、掲示板等の面に整理し順番に保持して置き、会議の進行状況に合わせ、又は説明に合わせて、上部の保持台１から順次外すこともでき、この場合に於いても、掲示板等の面に体を向き直らせる必要はなく、説明や対話を途切れさせることなく継続することができ、限られた時間内に効率よく聴衆を説得することができる。
【００１８】
又、本発明のほんの一例ではあるが、保持台１の形状を細長くい形状（図４）にすることによって、準備段階に於いて掲示物Ｕをコンパクトに整理し準備することができるほか、面３の横幅Ｎより、磁石４部分の幅Ｓを狭く構成することで、主体２の両側部に隙間Ｈ、Ｈが生じ、保持台１の着脱時、指先Ｒをかけることが可能（図５）となり、掲示や差し替え作業の容易性が生まれる。
【００１９】
従って、例えば予め掲示板等に保持台１に掲示物Ｕを掲示ピン８によって保持し整理して掲示して置き、上から順次掲示物保持台１を適宜指で掴み外してゆくことにより、瞬時に次の資料等の説明が展開できる。
この時、身体に障害を持たない一般人の視野角度は、１８０度程度であるから、聴衆から目線を反らすことなく、保持台１を確認し、掲示板等の面に着脱や差し替えをすることが容易にできる。
【００２０】
更に、従来から実用に供せられているマグネットの磁力によって、資料等の用紙を掲示板の面に狭持して保持することもできることは当然であり、又、図６の様に主体２に折れ釘Ｔを設けることも可能で、ある程度の重量のサンプル等を掲示することも可能であり、又、使用する場所も掲示板等の他スチールの面であれば、例えば間仕切り、壁面、商品等の陳列棚、ディスプレー用のワゴン、スチール机、冷蔵庫等に使用可能であり、保持台１の構成から見ても極めてシンプルで故障等の心配もなく、且つ、製造コストも安価で幅広い分野で実用に供することができる。
【００２１】
図７は第２実施例を示す斜視図で、主体２に柔軟な素材を用いて保持台１を構成した物で、この実施例に於いては主体２はコルク又はゴム又は発泡ポリウレタン又はスポンジ又は軟質樹脂等で形成することも可能で、この場合、磁石４をゴム磁石によって構成し、磁石４と主体２との間に補強部材７を設けるとよく、この補強部材７は保持台１を掲示板等の面に着脱する際、保持台１が反り返ったり折れ曲がること無い硬さに構成すれば良く、図示しないが、例えば磁石４の裏面に設けるヨークをそのまま補強部材７として構成することも可能であり、第１実施例と同様の効果を得ることができる。
【００２２】
図８は本発明の第３実施例を示す斜視図で、補強部材７を設ける代わりに磁石４をフェライト係磁石、又は金属又はその他の硬質の磁石素材を用いて磁石４を形成することも可能で、この場合に於いては補強部材７を要せずして保持台１を構成することも可能であり、他の実施例と同様の効果を得ることができる。
【００２３】
図９は本発明の第４実施例を示す斜視図で、大鋸屑又はパウダー状の木粉その他パルプ又は紙等に固着剤を加えながら強磁性体粉末を混入し、撹拌し、成型した後に、着磁し磁石４を構成することも可能であり、主体２及び磁石４を一体に成型することもでき、他の実施例と同様の効果を得ることができる。
【００２４】
【発明の効果】
従って、上記の如く発表者又は説明者は掲示物の掲示や差し替え作業に当たって、片手で作業をすることができるため掲示板等の面に向き直ることないため、聴衆に背を向けることなく資料等の掲示物の掲示や又差し替えを速やか、且つ、容易に行うことができ、目線を反らしたり説明や発表が途切れることなく伝えることができるから、力強く聴衆を説得し、意を伝えることができ、且つ、限られた時間を最大限有効に使うことができる掲示物の保持具として使用することができる掲示物保持台を提供することができる。
【符号の説明】
１  保持台
２  主体
３  表面
４  磁石
７  補強部材
８  掲示用ピン等
９  針
Ｔ  折れ釘
Ｕ  掲示物等
Ｎ  主体の横幅
Ｓ  磁石の横幅
Ｈ  隙間
Ｒ  指先
【図１】
2004252390.tif 000003
【図２】
2004252390.tif 000004
【図３】
2004252390.tif 000005
【図４】
2004252390.tif 000006
【図５】
2004252390.tif 000007
【図６】
2004252390.tif 000008
【図７】
2004252390.tif 000009
【図８】
2004252390.tif 000010
【図９】
2004252390.tif 000011
【手続補正書】
【提出日】平成15年5月22日(2003.5.22)
【手続補正１】
【補正対象書類名】明細書
【補正対象項目名】図面の簡単な説明
【補正方法】追加
【補正の内容】
【図面の簡単な説明】
【図１】本発明の掲示物保持具ともなる掲示物の保持台を示す斜視図である。
【図２】本発明の掲示物保持具ともなる掲示物の保持台と、掲示用ピン等との関係を示す一部切り欠きの斜視図である。
【図３】本発明の保持台に資料を保持し、整理した状態を示す斜視図である。
【図４】本発明の第１実施例の一例を示す斜視図である。
【図５】本発明の第１実施例の一例の使用操作性を示す斜視図である。
【図６】本発明の第１実施例の一例の主体に折れ釘を設けた状態を示す斜視図である。
【図７】本発明の第２実施例を示す斜視図である。
【図８】本発明の第３実施例を示す斜視図である。
【図９】本発明の第４実施例を示す斜視図である。
【符号の説明】
１  保持台
２  主体
３  表面
４  磁石
７  補強部材
８  掲示用ピン等
９  針
Ｔ  折れ釘
Ｕ  掲示物等
Ｎ  主体の横幅
Ｓ  磁石の横幅
Ｈ  隙間
Ｒ  指先